(57)【要約】【課題】金属模様または金属文字を有する曲面または平面体の製造方法およびそれによる曲面または平面体を提供する。【解決手段】非金属製曲面または平面体の模様または文字の被作成表面の全面に金属被覆を施す第１工程と、該記金属被覆を全面に施した表面に印刷インキまたは塗料により、マスキングとして所定の模様または文字を作成する第２工程と、該所定の模様または文字を作成した以外の部分における金属被覆を除去する第３工程と、前記所定の模様または文字を形成した印刷インキまたは塗料の被覆を除去する第４工程よりなる金属模様または金属文字を有する曲面または平面体の製造方法、および、それによる曲面または平面体。【選択図】図１
2009160887.tif 000002
【特許請求の範囲】
【請求項１】
金属模様または金属文字を有する曲面または平面体の製造方法であって、非金属製曲面または平面体の模様または文字の被作成表面の全面に金属被覆を施す第１工程と、該記金属被覆を全面に施した表面に印刷インキまたは塗料により、マスキングとして所定の模様または文字を作成する第２工程と、該所定の模様または文字を作成した以外の部分における金属被覆を除去する第３工程と、前記所定の模様または文字を形成した印刷インキまたは塗料の被覆を除去する第４工程よりなることを特徴とする金属模様または金属文字を有する曲面または平面体の製造方法。
【請求項２】
前記金属被覆がＴｉ、Ｃｕ、Ｆｅ、Ｎｉ、Ｃｒ、Ａｌ、Ａｕ、Ａｇ、またはこれらの化合物の群より選ばれた１種による蒸着、イオンプレーティング、無電解メッキであることを特徴とする請求項１に記載の金属模様または金属文字を有する曲面または平面体の製造方法。
【請求項３】
前記金属被覆の厚さが０．０１〜２．０μｍであることを特徴とする請求項１または２に記載の金属模様または金属文字を有する曲面または平面体の製造方法。
【請求項４】
前記印刷インキまたは塗料によるマスキングとして所定の模様または文字の厚さが２〜３０μｍであることを特徴とする請求項１または２に記載の金属模様または金属文字を有する曲面または平面体の製造方法。
【請求項５】
前記請求項１〜４のいずれか１項に記載の金属模様または金属文字を有する曲面または平面体の製造方法により構成された曲面または平面体であって、非金属製の曲面または平面体本体と、印刷インキまたは塗料によるマスキング面を除かれたことにより現出された金属模様または金属文字を有する曲面または平面体。
【請求項６】
前記金属模様または金属文字が、Ｔｉ、Ｃｕ、Ｆｅ、Ｎｉ、Ｃｒ、Ａｌ、Ａｕ、Ａｇ、またはこれらの化合物の群より選ばれた１種により構成されていることを特徴とする請求項５に記載の金属模様または金属文字を有する曲面または平面体。
【請求項７】
前記金属模様または金属文字の厚さが０．０１〜２．０μｍであることを特徴とする請求項５または６に記載の金属模様または金属文字を有する曲面または平面体。
【請求項８】
前記曲面または平面体が携帯電話機、デジタルカメラ、ゲーム機、マウス、パソコン、テレビセット、自動車用ボードまたはハンドルのいずれかであることを特徴とする請求項５〜７のいずれか１項に記載の金属模様または金属文字を有する曲面または平面体。
【発明の詳細な説明】
【技術分野】
【０００１】
本願発明は、金属模様または金属文字を有する曲面または平面体の製造方法およびそれによる曲面または平面体に関するものである。
【背景技術】
【０００２】
昨今、携帯電話機をはじめ各種の機器類は、その機能、性能のアップは目覚ましいものがあり、また同時にそのファッション性に対しても、高級化志向や多様化の方向に著しいものがある。特に、昨今は有史以来の趣向として好まれる高級金属光沢を有するものに対する要求はきわめて高くなってきている。
特に曲面に対して金属模様乃至金属文字等を設けることは難しく、いろいろの手法が研究されている（例えば、特許文献１、および特許文献２参照）。
【０００３】
【特許文献１】特開２００７−１１９８８０号公報
【特許文献２】特開２００７−１３０６００号公報
【発明の開示】
【発明が解決しようとする課題】
【０００４】
上述のごとく、昨今の要求の高い曲面に高級金属光沢を有する模様や金属文字を施す要求に対して比較的に安価で精度高くこれを作成することはかなり難しいものがある。
本発明は、これらに鑑み、安価で、美的感覚も高く、精度のよい金属模様や金属文字を有する曲面または平面体の製造方法およびそれによる曲面または平面体を提供することを目的とするものである。
【課題を解決するための手段】
【０００５】
本発明の、金属模様または金属文字を有する曲面または平面体の製造方法は、
１）非金属製曲面または平面体の模様または文字の被作成表面の全面に金属被覆を施す第１工程と、該記金属被覆を全面に施した表面に印刷インキまたは塗料により、マスキングとして所定の模様または文字を作成する第２工程と、該所定の模様または文字を作成した以外の部分における金属被覆を除去する第３工程と、前記所定の模様または文字を形成した印刷インキまたは塗料の被覆を除去する第４工程よりなるものである。
２）上述の１）において、前記金属被覆をＴｉ、Ｃｕ、Ｆｅ、Ｎｉ、Ｃｒ、Ａｌ、Ａｕ、Ａｇ、またはこれらの化合物の群より選ばれた１種による蒸着、イオンプレーティング、無電解メッキされたものであり、
３）上述の１）または２）において、前記金属被覆の厚さを、０．０１〜２．０μｍとしたものであり、
４）上述の１）〜３）において、前記印刷インキまたは塗料によるマスキングとしての所定の模様または文字の厚さがを２〜３０μｍとしたものである。
【０００６】
また、本発明の、金属模様または金属文字を有する曲面または平面体は、   
５）上述の１）〜４）のいずれかに記載の製造方法により構成された曲面または平面体であって、非金属製の曲面または平面体本体と、印刷インキまたは塗料によるマスキング面を除かれたことにより現出された金属模様または金属文字により構成された曲面または平面体であり、
６）上述５）において、前記金属模様または金属文字を、Ｔｉ、Ｃｕ、Ｆｅ、Ｎｉ、Ｃｒ、Ａｌ、Ａｕ、Ａｇ、またはこれらの化合物の群より選ばれた１種により構成されているものであり、
７）上述５）または６）において、前記金属模様または金属文字の厚さを０．０１〜２．０μｍとしたものである。
８）上述の曲面または平面体が携帯電話機、デジタルカメラ、ゲーム機、マウスのいずれかであることを特徴とするものである。
【０００７】
本発明の技術は、後工程の金属被覆を精度良く除去し、繊細な金属模様または金属文字を表現するための、マスキングとしての印刷または塗装による被覆は、極めて高度の印刷または塗装技術、特に、曲面体における極めて高度な印刷技術または塗装技術が前提となるものである。
【発明の効果】
【０００８】
本発明の金属模様または金属文字を有する曲面または平面体の製造方法は、比較的複雑な曲面を有する曲面体であっても、容易、且つ安価に精度のよい模様または文字を形成でき、また、高級感のある曲面または平面体を提供することができる。
【発明を実施するための最良の形態】
【０００９】
図１は、本発明の金属模様または金属文字を有する曲面または平面体の製造方法の工程流れ図である。
図２は、図１における各工程に対応する曲面または平面体の１例を模式的に示した断面図である。
１は非金属製曲面または平面体、２は金属被覆層、３は印刷または塗装により形成された模様または文字、２０は金属被覆が除去された部分、ｈは金属被覆の厚さ、ｔは印刷または塗装による模様または文字のマスキング層の厚さである。
なお、本発明は、ＯＰ４工程後において、さらに全面を化粧コートする工程を付加することを妨げるものではない。
【００１０】
図１により本発明の詳細を説明する。
非金属製、例えば、少なくとも表面がプラスチック、セラミックス、木材、ガラス等の材料により構成された曲面体又は平面体１、例えば携帯電話機のケーシングなどの表面（以下、非金属表面という）に繊細な金属（例えば、金色メッキ）の模様または文字を工程に従い形成する。
先ず、第１工程ＯＰ１前において該非金属表面を通常の清浄処理により活性化する。
活性化された表面に、第１工程ＯＰ１による全面金属被覆１を被覆する。被覆は、蒸着法、イオンプレーティング法、無電解メッキ法等により行う。比較的複雑な曲面にても自由度を有する蒸着法が好ましい。
なお、プリコートとして極く薄い誘電層を設けることができる。
【００１１】
上記金属被覆の材料は、美的な色彩を有する金属、例えばＴｉ、Ｃｕ、Ｆｅ、Ｎｉ、Ｃｒ、Ａｌ、Ａｕ、Ａｇ、またはこれらの化合物の群より選ばれた１種を使用することが望ましい。
金属被覆の厚さは、製品として要求される金属模様または金属文字の厚さにより決められるが、後の工程ＯＰ３における、金属被覆をの除去する効率を大きく妨げるものであってはならない。
金属被覆２の厚さｈは、０．０１〜２．０μｍ程度が好ましい。０．０１μｍ以下では繊細な模様または文字の安定した形成が損なわれ、また２．０μｍ以上では、商品としての見栄えの割に、除去工数が急増し思わしくない。特に、除去部２０の間隔が極めて狭い繊細な模様、例えば、ＩＣ回路などにあっては、除去部２０の除去が難しく、実用的には１．０μｍ程度が好ましい。
【００１２】
第２工程ＯＰ２として、前記全面金属被覆層２の表面に印刷インキまたは塗料により模様または文字３を形成する。印刷インキまたは塗料は、酸、アルカリに対するマスキングの効果を有し、且つ、繊細な印刷または塗装精度が十分に保たれる材料および性状（特に、粘度）であれば、特には限定されない。
印刷インキとしては、通常使用されるオフセット印刷用インキ等、粘度は１５〜２５０ＰａＳ（２５℃）程度のものでよい。
【００１３】
曲面体への繊細な模様乃至文字３の印刷は、本出願人の出願になる特願２００４−２５８８１１号（特開２００６−０６９１７５号）、特願２００１−０５９６９７号（特許第２９６１１５３号）における方法等を利用して行われる。
【００１４】
第３工程ＯＰ３において、上述のマスキングとしての印刷インキまたは塗料により形成された模様または文字３部分以外の金属被覆部分を除去する。前述の金属被覆２の材料を主として薬品（酸またはアルカリ剥離剤）により除去する。
この場合、超音波振動を付加することにより除去効率を上げることができる。
【００１５】
第３工程ＯＰ３終了後、適当な洗浄工程を経て、第４工程ＯＰ４を実施する。
第４工程ＯＰ４は、前記模様または文字３部分を形成するマスキングとしての印刷インキまたは塗料を除去するものである。主として、薬品として有機溶剤系の剥離剤によりこれを除去する。
また、模様または文字３部分の厚さｔが薄い場合には、ポリッシング等の機械的手段によて除去することもできる。この場合は金属被覆部２の表面の艶だし作用を兼ねることも可能である。
なお、第４工程ＯＰ４終了後、全体に極く薄い化粧コート層の被覆を施すこともできる。
【００１６】
上記のごとく、第１工程より第４工程により形成された金属模様または金属文字を有する曲面体として、携帯電話機 、デジタルカメラ、ゲーム機、パソコン、マウス、テレビセット、自動車用のダッシュボードやハンドル等を提供することができる。
【産業上の利用可能性】
【００１７】
本発明は、前述以外にも医療機器等の電子機器や、美術家具などに適用することもできる。
【図面の簡単な説明】
【００１８】
【図１】本発明の金属模様または金属文字を有する曲面または平面体の製造方法の工程流れ図。
【図２】図１における各工程に対応する曲面または平面体の１例を模式的に示した断面図。
【符号の説明】
【００１９】
１  非金属製曲面または平面体、
２  全面金属被覆層、
３  印刷または塗装により形成された模様または文字、
２０  金属被覆が除去された部分、
ｈ  金属被覆の厚さ、
ｔ  印刷または塗装による模様または文字のマスキング層の厚さ。
【図１】
2009160887.tif 000003
【図２】
2009160887.tif 000004